(57)【要約】【課題】切替ゲートの回転移動量を抑制することで、回転移動に伴う開閉音を低減させることができるシート案内装置、定着装置及び画像形成装置を得る。【解決手段】腰の弱いシート部材Ｐが加熱ロール９０及び加圧ロール９２から第一案内面９８へ向けて送り出されると、第一案内面９８がシート部材Ｐを案内し、切替ゲート９４が、シート部材Ｐの厚さ分だけ回転移動する。これに対し、腰の強いシート部材Ｐが第一案内面９８へ向けて送り出されると、切替ゲート９４は第一案内面９８がシート部材Ｐから受ける押圧力によって回転軸部材１０２を中心に回転移動し、終端部１００は開放される。シート部材Ｐを案内するときに常に同じように回転移動する場合と比して、切替ゲート９４の回転移動量を抑制することで回転移動に伴う開閉音を低減させることができる。【選択図】図１
2009282470.tif 000002
【特許請求の範囲】
【請求項１】
案内部材に設けられ、搬送されるシートの搬送方向を変えつつ該シートを下流へ案内する第一案内面と、
前記第一案内面とともにシート搬送路を構成するガイド部と、
案内されるシートが前記第一案内面を押圧すると、前記第一案内面と前記ガイド部とが離れるように前記案内部材を回転可能に支持する回転軸部と、を備え、
前記案内部材の回転移動量は、前記第一案内面によって案内されるシートの腰の強さに基づいて変化するシート案内装置。
【請求項２】
案内部材に設けられ、搬送されるシートの搬送方向を変えつつ該シートを下流へ案内する第一案内面と、
前記第一案内面とともにシート搬送路を構成するガイド部と、
案内されるシートが前記第一案内面を押圧すると、前記第一案内面と前記ガイド部とが離れるように前記案内部材を回転可能に支持する回転軸部と、を備え、
搬送されるシートが前記第一案内面を押圧しない状態で、前記第一案内面と前記ガイド部とは、予定の隙間をもって離間しているシート案内装置。
【請求項３】
前記案内部材は、前記第一案内面における下流位置から前記案内部材へ搬送されるシートを受け取る第二案内面を有し、
前記第二案内面は、搬送されるシートが前記第一案内面を押圧しない状態で、該第二案内面における下流へシートを案内するよう機能する請求項１又は２記載のシート案内装置。
【請求項４】
前記第一案内面が腰の弱いシートを案内する場合、前記案内部材は前記シートの厚さ分だけ回転移動する請求項１に記載のシート案内装置。
【請求項５】
前記第一案内面が腰の弱いシートを案内する場合、前記案内部材は回転移動しない請求項２記載のシート案内装置。
【請求項６】
加熱部材と、
前記加熱部材に未定着トナー像が形成されたシートを押し付ける加圧部材と、
前記加圧部材によって前記加熱部材に押し付けられてトナー画像が定着したシートを案内する請求項１乃至５何れか１項に記載されたシート案内装置と、
を備える定着装置。
【請求項７】
請求項１乃至６何れか１項に記載のシート案内装置を有する画像形成装置。
【発明の詳細な説明】
【技術分野】
【０００１】
本発明は、シートを案内するシート案内装置、これを備えた定着装置及び画像形成装置に関する。
【背景技術】
【０００２】
特許文献１には、定着装置によってトナー画像が定着された記録媒体が、ゲートを押し上げて排出方向へ搬送される構成が記載されている。
【０００３】
ここで、ゲートには、センサが設けられており、記録媒体が通過したのを検知できるようになっている。詳細には、記録媒体がゲート（案内部材）を通過する際に、ゲート（案内部材）を同じように回転移動させることでゲート部材（案内部材）の終端部を開閉させ、これにより記録媒体が通過するのを検知する。このように、ゲート（案内部材）の終端部を開閉させて記録媒体がゲート（案内部材）を通過するのを検知することで、記録媒体の搬送制御を行っている。
【特許文献１】特開２００５−４１６３５号公報
【発明の開示】
【発明が解決しようとする課題】
【０００４】
本発明は、案内部材の回転移動量を抑制することで、回転移動に伴う開閉音を低減させることが課題である。
【課題を解決するための手段】
【０００５】
本発明の請求項１に係るシート案内装置は、案内部材に設けられ、搬送されるシートの搬送方向を変えつつ該シートを下流へ案内する第一案内面と、前記第一案内面とともにシート搬送路を構成するガイド部と、案内されるシートが前記第一案内面を押圧すると、前記第一案内面と前記ガイド部とが離れるように前記案内部材を回転可能に支持する回転軸部と、を備え、前記第一案内面の回転移動量は、前記第一案内面によって案内されるシートの腰の強さに基づいて変化することを特徴とする。
【０００６】
本発明の請求項２に係るシート案内装置は、案内部材に設けられ、搬送されるシートの搬送方向を変えつつ該シートを下流へ案内する第一案内面と、前記第一案内面とともにシート搬送路を構成するガイド部と、案内されるシートが前記第一案内面を押圧すると、前記第一案内面と前記ガイド部とが離れるように前記案内部材を回転可能に支持する回転軸部と、を備え、搬送されるシートが前記第一案内面を押圧しない状態で、前記第一案内面と前記ガイド部とは、予定の隙間をもって離間していることを特徴とする。
【０００７】
本発明の請求項３に係るシート案内装置は、請求項１又は２に記載において、前記案内部材は、前記第一案内面における下流位置から前記案内部材へ搬送されるシートを受け取る第２案内面を有し、前記第２案内面は、搬送されるシートが前記第一案内面を押圧しない状態で、該第２案内面における下流へシートを案内するよう機能することを特徴とする。
【０００８】
本発明の請求項４に係るシート案内装置は、請求項１に記載において、第一案内面が腰の弱いシートを案内する場合、前記案内部材は前記シートの厚さ分だけ回転移動することを特徴とする。
【０００９】
本発明の請求項５に係るシート案内装置は、請求項２に記載において、第一案内面が腰の弱いシートを案内する場合、前記案内部材は回転移動しないことを特徴とする。
【００１０】
本発明の請求項６に係る定着装置は、加熱部材と、前記加熱部材に未定着トナー像が形成されたシートを押し付ける加圧部材と、前記加圧部材によって前記加熱部材に押し付けられてトナー画像が定着したシートを案内する請求項１乃至５何れか１項に記載されたシート案内装置と、を備えることを特徴とする。
【００１１】
本発明の請求項７に係る画像形成装置は、請求項１乃至６何れか１項に記載のシート案内装置を有することを特徴とする。
【発明の効果】
【００１２】
本発明の請求項１の構成によれば、案内部材の回転移動量は、第一案内面によって案内されるシートの腰の強さに基づいて変化する。このため、シートを案内するときに常に同じように回転移動して案内部材が開閉する場合と比して、案内部材の回転移動量を抑制することで回転移動に伴う開閉音を低減させることができる。
【００１３】
本発明の請求項２の構成によれば、第一案内面とガイド部とが予定の隙間をもって離間しているので、案内部材を回転移動させなくとも、予定の隙間以下の厚さのシートを下流へ搬送することができる場合があり、その場合、回転移動に伴う開閉音を低減することができる。
【００１４】
本発明の請求項３の構成によれば、案内部材が第一案内面と第二案内面とを有し、第一案内面がシートを押圧しないときに第二案内面が機能するので、シート案内装置を小型化することができる。
【００１５】
本発明の請求項４の構成によれば、腰の弱いシートを案内するときには、案内部材は記録媒体の厚さ分しか回転移動しないため、この構成を有しない場合と比して、案内部材の回転移動量をさらに抑制することができる。
【００１６】
本発明の請求項５の構成によれば、腰の弱いシートを案内するときには、案内部材が回転移動しないので、回転移動に伴う開閉音の発生を防止することができる。
【００１７】
本発明の請求項６の構成によれば、シートの腰の強さに基づいて案内部材が回転移動して第一案内面はシートから逃げるため、この構成を有しない場合と比して、加熱部材と加圧部材によって定着後のシートの損傷を抑制することができる。
【００１８】
本発明の請求項７の構成によれば、案内部材の回転移動に伴う開閉音を低減させた画像形成装置を得ることができる。
【発明を実施するための最良の形態】
【００１９】
本発明の第１実施形態に係る案内部材が採用された画像形成装置の一例を図１〜図９に従って説明する。
【００２０】
（全体構成）
図９に示されるように、画像形成装置１０には、４つの色（本実施形態では、イエロー、マゼンタ、シアン、ブラック）のプロセスカートリッジ１４が上下方向に配列されている。また、プロセスカートリッジ１４は、感光体１６を有する感光体カートリッジ６２と、現像カートリッジ６４とで構成されている。
【００２１】
図８に示されるように、感光体カートリッジ６２は、感光体１６と、感光体１６の周囲に配設されたクリーニング装置２２、帯電ロール１８、イレーズランプ２４、及びクリーニング装置２２の横方向に配設されたサブトナー補給ユニット６６とで構成されている。
【００２２】
また、サブトナー補給ユニット６６には、感光体１６の軸方向に直交する方向に延びる一対の支持突起７８が設けられている。この支持突起７８を画像形成装置１０のカートリッジ受部（図示省略）に挿通させることで、画像形成装置１０にプロセスカートリッジ１４が装着されるようになっている。
【００２３】
さらに、現像カートリッジ６４には、感光体１６上の静電潜像を現像剤Ｇでトナー画像へと現像する現像ロール８６が、感光体１６に対向配置されている。また、現像ロール８６の下方には、現像ロール８６へ現像剤収納室８４内に収納された現像剤Ｇを供給する第１攪拌搬送オーガー８８及び第２攪拌搬送オーガー８９が配設されている。
【００２４】
これにより、第１攪拌搬送オーガー８８及び第２攪拌搬送オーガー８９から供給された現像剤Ｇが現像ロール８６上に付着し、現像ロール８６がこの現像剤Ｇを感光体１６と対向する位置まで搬送する。そして、感光体１６に形成された静電潜像が現像ロール８６上の現像剤Ｇによってトナー画像として可視化される構成となっている。
【００２５】
また、図９に示されるように、プロセスカートリッジ１４は、用紙搬送経路３４の上流側からイエロー色、マゼンタ色、シアン色、ブラック色の順に配設されており、プロセスカートリッジ１４の側方には、プロセスカートリッジ１４に走査光を照射する露光装置３６が配設されている。
【００２６】
露光装置３６の筐体３８内には、半導体レーザ（図示省略）、ポリゴンミラー４０、結像レンズ４４、及びミラー４６が配設されており、半導体レーザからの光はポリゴンミラー４０で偏向走査され、結像レンズ４４とミラー４６を介して感光体１６に照射される。これにより、感光体１６に、画像データに応じた静電潜像が形成されるようになっている。
【００２７】
さらに、感光体１６に対して用紙搬送経路３４を挟んで対向する位置には、搬送ユニット４８が配設されている。搬送ユニット４８は、画像形成装置１０の側壁１０Ａに沿って設けられた一対の張架ロール５１、５２と、この張架ロール５１、５２に巻き掛けられた搬送ベルト５３とで構成されている。また、張架ロール５２は、図示しないモータによって回転され、搬送ベルト５３が移動するようになっている。
【００２８】
張架ロール５１の近傍には、吸着ロール５５が配設されており、この吸着ロール５５に電圧が印加されることによって、搬送ベルト５３に記録媒体としてのシート部材Ｐが静電的に吸着されるようになっている。
【００２９】
また、搬送ベルト５３の裏面の、各色の感光体１６に対向する位置には、それぞれ転写ロール５４が配設されており、転写ロール５４と感光体１６で画像形成部７４が構成されている。この画像形成部７４で、感光体１６上のトナー画像が、搬送ベルト５３によって搬送されるシート部材Ｐに転写される。
【００３０】
また、画像形成装置１０の下部には、シート部材Ｐが収納された給紙カセット２６が設けられている。さらに、給紙カセット２６の近傍には、シート部材Ｐを所定のタイミングで送り出すピックアップロール２８が設けられている。このピックアップロール２８によって給紙カセット２６から送り出されたシート部材Ｐは、複数の搬送ロール３０、及び搬送装置７０に備えられたレジストロール３２によって搬送され所定のタイミングで用紙搬送経路３４へ送り出される。用紙搬送経路３４に送り出されたシート部材Ｐは、各色の画像形成部７４でトナー画像が転写され、定着装置５６でトナー画像がシート部材Ｐに定着される。そして、トナー画像が定着されたシート部材Ｐは、定着装置５６に設けられたイグジットロール５８によって排出トレイ６０へ排出される。なお、定着装置５６については詳細を後述する。
【００３１】
さらに、搬送ユニット４８のプロセスカートリッジ１４と反対側には、定着装置５６によって片面に画像が定着されたシート部材Ｐの表裏を反転させた状態で再度画像形成部７４へシート部材Ｐを搬送する後処理装置としての反転ユニット６８が設けられ、反転ユニット６８には反転搬送路５０が設けられている。
【００３２】
反転搬送路５０には、反転させるシート部材Ｐを搬送する複数の搬送ロール７２が配設されており、シート部材Ｐは、搬送ロール７２によって反転搬送路５０を搬送され、搬送装置７０に備えられたレジストロール３２によって所定のタイミングで画像形成部７４に再度送り込まれる構成となっている。
【００３３】
上記構成による画像形成装置１０では、次のようにして画像が形成される。
【００３４】
図９に示されるように、まず、電圧が印加された帯電ロール１８は、感光体１６の表面を予定の帯電部電位で一様にマイナス帯電する。
【００３５】
さらに、帯電された感光体１６上の画像部分が予定の露光部電位になるように露光装置３６で露光を行ない静電潜像が形成される。
【００３６】
すなわち、図示しない制御装置から供給される画像データに基づき、半導体レーザ（図示省略）をオン・オフして変調することによって画像に対応した潜像が感光体１６上に形成される。
【００３７】
さらに、図８に示されるように、現像カートリッジ６４の第１攪拌搬送オーガー８８、及び第２攪拌搬送オーガー８９によって攪拌搬送された現像剤Ｇが現像ロール８６に供給され、現像剤Ｇは、現像ロール８６の磁力によって現像ロール８６上に吸着される。吸着された現像剤Ｇは、現像ロール８６によって感光体１６と対向する位置まで搬送される。
【００３８】
現像ロール８６には各色毎に所定の現像バイアス電圧が電源装置（図示省略）から印加されており、感光体１６上の静電潜像は、現像ロール８６の位置を通過する時に、現像剤Ｇのトナーが電気力によって付着しトナー画像として可視化される。
【００３９】
そこで、図９に示される給紙カセット２６に収容されたシート部材Ｐがピックアップロール２８によって、用紙搬送経路３４に送りだされ、さらに、搬送ロール３０及び搬送装置７０に備えられたレジストロール３２によって所定のタイミングで画像形成部７４へ搬送され、感光体１６上のトナー画像がシート部材Ｐに転写される。この転写されたトナー画像は定着装置５６で定着され、トナー画像が定着されたシート部材Ｐは、イグジットロール５８によって排出トレイ６０へ排出される。
【００４０】
（要部）
次に、定着装置５６について説明する。
【００４１】
図７に示されるように、定着装置５６は、画像形成装置１０（図９参照）から脱着可能なユニットとなっており、さらに、図９に示されるように、定着装置５６の内部には、内部に熱源が設けられて回転駆動する加熱部材としての加熱ロール９０と、この加熱ロール９０に対向して配置されて加熱ロール９０に圧接される加圧部材としての加圧ロール９２とが設けられている。また、加熱ロール９０及び加圧ロール９２の搬送方向下流には、シート案内装置９３を構成する側方から見て略三角形状の案内部材としての切替ゲート９４が設けられている。
【００４２】
図１に示されるように、切替ゲート９４には、加熱ロール９０と加圧ロール９２から送り出されたシート部材Ｐをイグジットロール５８へ向けて案内する第一案内面９８が設けられている。そして、装置本体に設けられたガイド部８０に当る第一案内面９８の終端部１００が、ガイド部８０から離れるように切替ゲート９４を回転可能に支持する回転軸部材１０２が設けられている。
【００４３】
また、終端部１００の搬送方向下流には、前述したイグジットロール５８とイグジットロール５８に対向配置され、搬送されるシート部材Ｐをイグジットロール５８に押し付けるピンチロール１０４が設けられている。さらに、イグジットロール５８は、駆動部材（図示省略）から駆動力を受けて正逆回転可能に設けられており、イグジットロール５８が正回転（図中矢印Ｂ方向）することで、シート部材Ｐは排出トレイ６０（図９参照）に排出されるようになっている。
【００４４】
さらに、切替ゲート９４において、第一案内面９８の反対側には、逆回転するイグジットロール５８によって搬送されるシート部材Ｐを  反転ユニット６８（図９参照）へ案内する第二案内面１０６が形成されている。なお、第二案内面１０６は、終端部１００が閉じている（ガイド部８０と接している）切替ゲート９４の初期位置で、シート部材Ｐを反転ユニット６８（図９参照）へ案内可能とされるように形成されている。
【００４５】
つまり、第一案内面９８によってイグジットロール５８へ案内されたシート部材Ｐの後端が終端部１００を通過すると、正回転していたイグジットロール５８が逆回転してシート部材Ｐを逆走させる。逆走するシート部材Ｐは、第二案内面１０６によって反転ユニット６８（図９参照）へ送り出されるようになっている。
【００４６】
ここで、加熱ロール９０及び加圧ロール９２から送り出されたシート部材Ｐを案内する第一案内面９８等について詳細に説明する。
【００４７】
本実施形態では、第一案内面９８が腰の弱いシート部材Ｐを案内する場合は、シート部材Ｐが通過可能となるシート部材Ｐの厚さ分だけ切替ゲート９４が回転軸部材１０２を中心に回転移動し、終端部１００からイグジットロール５８に向けてシート部材Ｐを送り出すように、回転軸部材１０２の位置及び切替ゲート９４の形状や重量、案内方向等が決められている。
【００４８】
一方、第一案内面９８が、腰の強いシート部材Ｐを案内する場合は、第一案内面９８がシート部材Ｐから受ける押圧力によって、切替ゲート９４が回転軸部材１０２を中心に回転移動し終端部１００がガイド部８０から離れて開放される。そして、開放された終端部１００からシート部材Ｐをイグジットロール５８に向けて送り出すように、回転軸部材１０２の位置及び切替ゲート９４の形状等が決められている。つまり、切替ゲート９４の回転移動量は、第一案内面９８によって案内されるシート部材Ｐの腰の強さに基づいて変化するようになっている。
【００４９】
また、腰の強弱については、シート部材Ｐの坪量（単位面積当りの質量：ＪＩＳ  Ｐ−８１２４）に起因するが、本実施形態では、坪量５２〜１０５〔ｇ／ｍ２〕を腰の弱いシート部材Ｐ（普通紙）とし、坪量１２７〜２１６〔ｇ／ｍ２〕を腰の強いシート部材Ｐ（厚紙）としている。
【００５０】
（作用）
次に、シート部材Ｐの両面に画像を形成させる場合について説明する。
【００５１】
図１に示されるように、腰の弱いシート部材Ｐが加熱ロール９０及び加圧ロール９２から第一案内面９８へ向けて送り出されると、第一案内面９８がシート部材Ｐを案内し、切替ゲート９４が、シート部材Ｐの厚さ分だけ回転移動する。切替ゲート９４がシート部材Ｐの厚さ分だけ回転移動することで、シート部材Ｐは終端部１００から正方向（図中矢印Ｂ方向）へ回転するイグジットロール５８に向けて送り出される。正方向へ回転するイグジットロール５８は、シート部材Ｐを受けるとシート部材Ｐを搬送方向下流に向けて搬送する。
【００５２】
図２に示されるように、イグジットロール５８によって搬送方向下流に向けて搬送されるシート部材Ｐの後端部が、終端部１００を通過すると、切替ゲート９４がシート部材Ｐの厚さ分だけ回転移動して終端部１００が閉じ、切替ゲート９４が初期位置に復帰する。つまり、切替ゲート９４はシート部材Ｐの厚さ分しか回転移動しないため、終端部１００が大きく開放されることなく初期位置に復帰する。そして、シート部材Ｐの後端部が終端部１００を通過すると、イグジットロール５８が逆方向（図中矢印Ｃ方向）へ回転する。
【００５３】
図３に示されるように、イグジットロール５８が逆方向へ回転することで、シート部材Ｐは逆走してシート部材Ｐの後端部が第二案内面１０６に当る。切替ゲート９４が初期位置に復帰しているため、第二案内面１０６は、イグジットロール５８から送り出されたシート部材Ｐを反転ユニット６８（図９参照）へ案内する。
【００５４】
これに対し、図４に示されるように、腰の強いシート部材Ｐが加熱ロール９０及び加圧ロール９２から第一案内面９８へ向けて送り出されると、第一案内面９８がシート部材Ｐをイグジットロール５８へ向けて案内する。切替ゲート９４は第一案内面９８がシート部材Ｐから受ける押圧力によって回転軸部材１０２を中心に回転移動し、終端部１００は開放される。切替ゲート９４が回転移動して終端部１００が開放されることで、シート部材Ｐには必要以上の力は負荷されない。そして、シート部材Ｐは開放された終端部１００から正方向（図中矢印Ｂ方向）へ回転するイグジットロール５８に向けて送り出される。
【００５５】
正方向へ回転するイグジットロール５８は、シート部材Ｐを受けるとシート部材Ｐを搬送方向下流に向けて搬送する。
【００５６】
図５に示されるように、イグジットロール５８によって搬送方向下流に向けて搬送されるシート部材Ｐの後端部が、終端部１００を通過すると、開放された終端部１００が閉じて切替ゲート９４は初期位置に復帰する。また、シート部材Ｐの後端部が終端部１００を通過すると、イグジットロール５８が逆方向（図中矢印Ｃ方向）へ回転する。
【００５７】
図６に示されるように、イグジットロール５８が逆方向へ回転することで、シート部材Ｐは逆走してシート部材Ｐの後端部が第二案内面１０６に当あたる。終端部１００が閉じて切替ゲート９４が初期位置に復帰しているため、第二案内面１０６は、シート部材Ｐを反転ユニット６８（図９参照）へ案内する。
【００５８】
なお、本発明を特定の実施形態について詳細に説明したが、本発明はかかる実施形態に限定されるものではなく、本発明の範囲内にて他の種々の実施形態が可能であることは当業者にとって明らかである。例えば、上記実施形態では、後処理装置として反転ユニット６８を例にとって説明したが、ソーター、パンチ、ステープル等であってもよい。
【００５９】
また、上記実施形態では、腰の強弱を判断する指数として坪量を使用したが、材質、曲げ剛性等の指数を用いてもよい。
【００６０】
また、上記実施形態では、シート案内装置を用いた定着装置を例にとって説明したが、案内部材が可動に構成されたシート搬送部であれば、如何なる装置に適用してもよい。
【００６１】
次に本発明の第２実施形態に係る案内部材が採用された画像形成装置の一例を図１０に従って説明する。
【００６２】
なお、第１実施形態と同一部材については、同一符号を付してその説明を省略する。
【００６３】
図１０に示されるように、この第２実施形態シート案内装置１１０では、第１実施形態と違い、あらかじめ、腰の弱いシート部材Ｐが通過するだけの隙間が切替ゲート９４の終端部１００とガイド部８０の間に設けられている。
【００６４】
詳細には、シート部材Ｐが通過しないガイド部材８０の両端部には、終端部１００に向けて突起部（図示省略）が形成されており、突起部の先端部を終端部に当てることでシート部材Ｐを通過させる隙間が設けられるようになっている。
【００６５】
また、第２の実施形態では、第一案内面９８が腰の弱いシート部材Ｐを案内する場合は、切替ゲート９４が回転移動しないように、回転軸部材１０２の位置及び切替ゲートの形状や重量、案内方向等が決められている。
【００６６】
これにより、切替ゲート９４が回転移動しなくても腰の弱いシート部材Ｐは終端部を通過する。
【図面の簡単な説明】
【００６７】
【図１】本発明の第１実施形態に係るシート案内装置が採用された定着装置を示し、腰の弱いシート部材が搬送される状態を現した断面図である。
【図２】本発明の第１実施形態に係るシート案内装置が採用された定着装置を示し、腰の弱いシート部材が搬送される状態を現した断面図である。
【図３】本発明の第１実施形態に係るシート案内装置が採用された定着装置を示し、腰の弱いシート部材が搬送される状態を現した断面図である。
【図４】本発明の第１実施形態に係るシート案内装置が採用された定着装置を示し、腰の強いシート部材が搬送される状態を現した断面図である。
【図５】本発明の第１実施形態に係るシート案内装置が採用された定着装置を示し、腰の強いシート部材が搬送される状態を現した断面図である。
【図６】本発明の第１実施形態に係るシート案内装置が採用された定着装置を示し、腰の強いシート部材が搬送される状態を現した断面図である。
【図７】本発明の第１実施形態に係るシート案内装置が採用された定着装置を示した斜視図である。
【図８】本発明の第１実施形態に係るシート案内装置が採用された定着装置が採用された画像形成装置のプロセスカートリッジを示した断面図である。
【図９】本発明の第１実施形態に係るシート案内装置が採用された定着装置が採用された画像形成装置を示した概略構成図である。
【図１０】本発明の第２実施形態に係るシート案内装置が採用された定着装置を示し、シート部材を搬送していない状態を現した断面図である。
【符号の説明】
【００６８】
１０      画像形成装置
５６      定着装置
８０      ガイド部
９０      加熱ロール（加熱部材）
９２      加圧ロール（加圧部材）
９３      シート案内装置
９４      切替ゲート（案内部材）
９８      第一案内面
１００    終端部
１０２    回転軸部材（回転軸部）
１０６    第二案内面
１１０    シート案内装置
【図１】
2009282470.tif 000003
【図２】
2009282470.tif 000004
【図３】
2009282470.tif 000005
【図４】
2009282470.tif 000006
【図５】
2009282470.tif 000007
【図６】
2009282470.tif 000008
【図７】
2009282470.tif 000009
【図８】
2009282470.tif 000010
【図９】
2009282470.tif 000011
【図１０】
2009282470.tif 000012